(57)【要約】【課題】  従来の全ネジ部材の着脱はローラー等でネジを狭持するもので、全ネジ着脱ソケット（電動）がありますが、締付けが強く堅い場合にネジ山が破損する問題点があります。また、手動工具により全ネジ部材に合うナットを２つ取付け、ナット同士を逆方向から締め付けて外側のナットを弛みの方向に回して、全ネジ部材を外すダブルナットの方法もあるが、作業工程が多く非効率的である。【解決手段】  本発明は、全ネジ部材に全ネジ着脱用ソケット兼用弛み防止ナットを締結し、摩擦力と反発力でネジ山に固定し電動工具・手動工具を用いて正転・逆転操作することで、全ネジ部材のネジ山を破損することなく容易に着脱できるような全ネジ着脱用ソケットである。【選択図】図１
2008202778.tif 000002
【特許請求の範囲】
【請求項１】
内周面に雌ネジと外面に係止溝を形成する六角形状の前端部ナットと、内周面に雌ネジと外周面に１以上の凸部を形成する円筒形状の中間部回転ナットと、内周面に雌ネジと外面の一部に係止溝を形成する六角形状の後端部ナットで構成し、前記外面に貫通長穴を有する六角形状の連結材で一体とし、前記貫通長穴を介在して係止溝に嵌め込まれる係止蓋を有することを特徴とする全ネジ着脱用ソケット兼用弛み防止ナット。
【請求項２】
請求項１に記載の全ネジ着脱用ソケット兼用弛み防止ナットを形成した構造で、後端部ナットの低部を塞ぎ軸足を一体としたことを特徴とする全ネジ着脱用ソケット。
【請求項３】
請求項１に記載の全ネジ着脱用ソケット兼用弛み防止ナットを形成した構造で、後端部ナットの低部にラチェット機構を介在してソケットを一体としたことを特徴とする全ネジ着脱用ソケット。
【発明の詳細な説明】
【技術分野】
【０００１】  本発明は、全ネジ部材を着脱できるソケットと弛み防止ナットに関するものである。
【背景技術】
【０００２】  従来の全ネジ部材の着説はローラー等でネジを狭持するもので、全ネジ着脱ソケット（電動）がありますが、締付けが強く堅い場合にネジ山が破損する問題点があります。
また、手動工具により全ネジ部材に合うナットを２つ取付け、ナット同士を逆方向から締め付けて外側のナットを弛みの方向に回して、全ネジ部材を外すダブルナットの方法もあるが、作業工程が多く非効率的である。
【特許文献１】  特開２００１−１７９５５２公報
【発明の開示】
【発明が解決しようとする課題】
【０００３】  上記記載による従来の問題点を解決するために、全ネジ部材に全ネジ着脱用ソケット兼用弛み防止ナットを締結し、摩擦力でネジ山に固定し電動工具・手動工具を用いて正転・逆転操作することで、全ネジ部材のネジ山を破損することなく容易に着脱できるような全ネジ着脱用ソケットを提供する。
【課題を解決するための手段】
【０００４】  上記課題を解決するために、本発明は次のような構成とする。
請求項１に記載の発明は、内周面に雌ネジと外面に係止溝を形成する六角形状の前端部ナットと、内周面に雌ネジと外周面に１以上の凸部を形成する円筒形状の中間部回転ナットと、内周面に雌ネジと外面の一部に係止溝を形成する六角形状の後端部ナットで構成し、前記外面に貫通長穴を有する六角形状の連結材で一体とし、前記貫通長穴を介在して係止溝に嵌め込まれる係止蓋を有することを特徴とする全ネジ着脱用ソケット兼用弛み防止ナットである。
請求項２に記載の発明は、請求項１に記載の全ネジ着脱用ソケット兼用弛み防止ナットを形成した構造で、後端部ナットの低部を塞ぎ軸足を一体としたことを特徴とする全ネジ着脱用ソケットである。
請求項３に記載の発明は、請求項１に記載の全ネジ着脱用ソケット兼用弛み防止ナットを形成した構造で、後端部ナットの低部にラチェット機構を介在してソケットを一体としたことを特徴とする全ネジ着脱用ソケットである。
【発明の効果】
【０００５】  請求項１に記載の発明は、内周面に雌ネジと外面に係止溝を形成する六角形状の前端部ナットと、内周面に雌ネジと外周面に１以上の凸部を形成する円筒形状の中間部回転ナットと、内周面に雌ネジと外面の一部に係止溝を形成する六角形状の後端部ナットで構成し、前記外面に貫通長穴を有する六角形状の連結材で一体とし、前記貫通長穴を介在して係止溝に嵌め込まれる係止蓋を有することを特徴とする全ネジ着脱用ソケット兼用弛み防止ナットである。
即ち、全ネジ着脱用ソケット兼用弛み防止ナットに係止蓋を嵌め込むことで、前端部ナットと中間部回転ナットと後端部ナットが同時に回転するので、その外面に電動工具・手動工具を用いて正転操作を与えると全ネジ部材の所定位置に螺進する。また、逆転操作を与えると全ネジ部材より螺進を解除できる。さらに、前記係止蓋を解除した状態で正転操作を与えると、一体とした連結材の前端部ナットと後端部ナットが同時に回転し、中間部回転ナットが回転しないので、全ネジ部材に中間部回転ナットの傾斜部と後端部ナットの前部側面が押圧され抵触し締結・固定することになる。従って、その状態で被締結材に全ネジ部材を正転操作を与えることで締結・固定できる。
次に、逆転操作を与えると全ネジ部材を前端部ナットの後部側面が中間部回転ナットの傾斜部に押圧され抵触し締結・固定する。従って、全ネジ部材を逆転操作することで被締結材より解除されることになる。また、各種類の通常ボルトに、係止蓋を嵌め込んだ状態で電動工具・手動工具で正転操作を与えると被締結材に締結・固定される。その後、電動工具・手動工具を取外し係止蓋を解除することで、前端部ナットと後端部ナットの双方が弛もうとした場合でも、中間部回転ナットの傾斜部に前端部ナット後部側面と後端部ナット前部側面が抵触し、全ネジ部材のネジ山に対して摩擦力と反発力が発生するので弛み回転が起こらないので完全ロックできる。また、全ネジ部材の所定位置に締結・固定が可能であり締結力を長期間維持できる。さらに、係止蓋を嵌め込み逆転操作させると被締結材よりナットを解除することができる。また、電動工具・手動工具を用いて正転・逆転操作し、摩擦力と反発力で締結・固定することでネジ山を破損することがなく繰り返し使用することも可能である。従って、ダブルナットのような羽交い絞めの作業工程が必要なく、維持費・人件費等の大幅なコスト削減に貢献できる。【０００６】  請求項２に記載の発明は、請求項１に記載の全ネジ着脱用ソケット兼用弛み防止ナットを形成した構造で、後端部ナットの低部を塞ぎ軸足を一体とした全ネジ着脱用ソケットである。従って、電動工具・手動工具に前記ソケットを装着した状態で全ネジ部材の着脱操作することができる。
なお、図面には示していないが、係止蓋の脱落防止対策として貫通長穴の左右長手方向の側面に爪部を設ける。さらに、前記係止蓋の左右長手方向の側面に、前記貫通長穴の側面に設けた爪部に係合できる長溝を有するように形成し、前端部ナット先端よりスライドさせて着脱する場合は、前端部ナットと後端部ナットからなる係止溝に、前記貫通長穴の爪部と前記係止蓋の長溝を係合して前後にスライドさせて着脱操作をする。また、上から嵌め込むようにして着脱する場合は、前記係止蓋の左右側面の先端が前記貫通長穴の爪部に抵触し、押圧力で拡小し挿入後に前記係止蓋の長溝に反発力で係合される。また、前記係止蓋を解除する場合は、ドライバー等を前端部ナット先端より差込み引き起こす。従って、前端部ナット先端よりスライドさせて着脱する場合と、上から嵌め込むようにして着脱する場合の、双方どちらにも対応して脱落防止できる形状とした。【０００７】  請求項３に記載の発明は、請求項１に記載の全ネジ着脱用ソケット兼用弛み防止ナットを形成した構造で、後端部ナットの低部をラチェット機構に介在してソケットを一体とした全ネジ着脱用ソケットである。即ち、前記六角形状の後端部ナットの雌ネジ底部が全ネジ部材の直径より拡径とした開口部を設けたので、全ネジ部材（ロングボルト等）に螺進して所定位置に移動でき、摩擦力と反発力で固定することでネジ山を破損することなく締結・固定できる。
なお、係止蓋の脱落防止対策は、上記請求項２に記載の発明の内容に準ずる。【０００８】  その他の使用用途としては、スタッドボルト・天井吊りボルト・型枠フォームタイ等がある。なお、上記記載の寸法・材質・形状等に関しては、特別限定するものではない。
【発明を実施するための最良の形態】
【０００９】  以下、本発明の実施の形態について、図面を参照しながら説明する。
（実施形態１）  図１・４・５・６．７・８・９は、実施形態に係る六角形状を有する全ネジ着脱用ソケット兼用弛み防止ナットの斜視図等である。
内周面に全ネジ部材１を螺合できる雌ネジ２と、六角形状の連結材３に形成した長方形状の貫通長穴４と一体となる係止溝５を形成する六角形状の前端部ナットａと、前端部ナットａ同様の六角形状を有し一部に係止溝５を形成する後端部ナットｃと、その中間部に前記同様内周面に雌ネジ２を設け、外周面に１以上の凸部７を形成する円筒形状の中間部回転ナットｂを配置した。さらに、前記連結材３外面の貫通長穴４と前端部ナットａと後端部ナットｃの係止溝５を介在し、断面がコの字形状の係止蓋８を嵌め込んだ場合に、中間部回転ナットｂの固定を目的とする凸部７が、前端部ナットａと後端部ナットｃと同時に回転するので、連結材３の内周面に抵触しない程度の大きさに形成する。この中間部回転ナットｂは、前端部ナットａの後部側面に抵触する面と、後端部ナットｃの前部側面に抵触する面は、上端部ｂ１と下端部ｂ２の範囲内でネジ山一つ位の傾斜部を設ける。従って、電動工具・手動工具を用いて正転操作する場合、後端部ナットｃの前部側面が中間部回転ナットｂの傾斜部を押圧することでスプリング座金の役目を果たす。
また、逆転操作するの場合、前端部ナットａの後部側面が中間回転ナットｂの傾斜部を押圧することでスプリング座金の役目を果たす。即ち、全ネジ部材１を電動工具・手動工具を用いて正転操作・逆転操作をすることで被締結材に締結・解除することができ、さらに、連結材３外面に形成された貫通長穴４を介在した前端部ナットａと後端部ナットｃの係止溝５に、前端部ナット先端よりスライドまたは、上から嵌め込むことのできる板状からなる係止蓋８を嵌め込むことで、中間部回転ナットｂの固定を目的とする凸部７を介在させることで、前端部ナットａと中間部回転ナットｂと後端部ナットｃが同時に回転するので、全ネジ着脱用ソケット兼用弛み防止ナットを全ネジ部材１の所定位置に螺進させて締結・固定することができる。
即ち、全ネジ部材１に貫通長穴４を介在した係止溝５に係止蓋８を嵌め込み螺合した後、その外面に電動工具・手動工具をセットして正転操作で所定位置に螺進させ、その後、係止蓋８を解除し再度正転操作をすることで、後端部ナットｃの前部側面または、前端部ナットａの後部側面が中間部回転ナットｂの傾斜部に抵触することでダブルナットの役目を果たし締結・固定することになる。
また、弛み防止ナットに使用の場合は、各種類からなる通常のボルトに被締結材を介在させて全ネジ着脱用ソケット兼用弛み防止ナットを、上記記載内容と同様の工程作業を行うことにより容易に着脱操作ができる。【００１０】（実施形態２）  図２は、実施形態に係る六角形状を有する全ネジ着脱用ソケットＡの斜視図である。
請求項１に記載の全ネジ着脱用ソケット兼用弛み防止ナットの構造で、後端部ナットｃの低部１２を塞ぎ軸足９を一体とした全ネジ着脱用ソケットＡである。
従って、全ネジ部材１に全ネジ着脱用ソケットＡを請求項１に記載の内容と同様に電動工具・手動工具を使用することで容易に着脱操作ができる。【００１１】（実施形態３）  図３は、実施形態に係る六角形状を有する全ネジ着脱用ソケットＢの斜視図である。
請求項１に記載の全ネジ着脱用ソケット兼用弛み防止ナットの構造で、後端部ナットｃの低部１２にラチェットｄ機構と、全ネジ部材１の直径より拡径とした開口部１１を設けたソケット１０を一体とした全ネジ着脱用ソケットＢである。
従って、全ネジ部材１に全ネジ着脱用ソケットＢを請求項１に記載の内容と同様にラチェットｄ機構の正転・逆転操作の機能を使用して容易に着脱操作ができる。
【図面の簡単な説明】
【００１２】
【図１】  全ネジ着脱用ソケット兼用弛み防止ナットの分解斜視図である。
【図２】  全ネジ着脱用ソケットＡの斜視図である。
【図３】  全ネジ着脱用ソケットＢの斜視図である。
【図４】  全ネジ着脱用ソケット兼用弛み防止ナットの詳細斜視図である。
【図５】  全ネジ着脱用ソケット兼用弛み防止ナットの前端部ナットの平面図である。
【図６】  全ネジ着脱用ソケット兼用弛み防止ナットの中間部回転ナットの平面図である。
【図７】  全ネジ着脱用ソケット兼用弛み防止ナットの後端部ナットの平面図である。
【図８】  全ネジ着脱用ソケット兼用弛み防止ナットの断面図である。
【図９】  全ネジ着脱用ソケット兼用弛み防止ナットの係止蓋取付け要部の詳細図である。
【符号の説明】
【００１３】Ａ、Ｂ    全ネジ着脱用ソケット
１    全ネジ部材
２    雌ネジ
３    連結材
４    貫通長穴
５    係止溝
６    空間部
７    凸部
８    係止蓋
９    軸足
１０  ソケット
１１  開口部
１２  低部
ａ    前端部ナット
ｂ    中間部回転ナット
ｂ１  上端部
ｂ２  下端部
ｃ    後端部ナット
ｄ    ラチェット
【図１】
2008202778.tif 000003
【図２】
2008202778.tif 000004
【図３】
2008202778.tif 000005
【図４】
2008202778.tif 000006
【図５】
2008202778.tif 000007
【図６】
2008202778.tif 000008
【図７】
2008202778.tif 000009
【図８】
2008202778.tif 000010
【図９】
2008202778.tif 000011